(57)【特許請求の範囲】
【請求項１】
長手方向軸線ＸＸに沿って延びる軸芯（１）と、前記長手の軸芯に沿った少なくとも第一および第二の点において植え込まれた少なくとも一つの可撓性のステム（２、２０、２１）とを備えてなり、前記ステムが前記長手方向軸線ＸＸに実質的に沿って延び、前記軸芯（１）の上および／または前記少なくとも一つのステム（２）の上に複数の櫛歯が設けられている、ケラチン繊維に流体状またはペースト状の製品を塗布するための一体型の塗布用具であって、
前記軸芯（１）には、少なくとも一つの半径方向の貫通孔（４）が設けられており、前記少なくとも一つの可撓性のステム（２）は、実質的に半径方向平面内に延びて少なくとも第一（２０）および第二（２１）のその長手方向に沿う湾曲部を有し、この塗布用具の半径方向平面内での可動性を確保するために前記ステムが前記少なくとも一つの貫通孔（４）を接触せずに通り抜けるように構成されている
ことを特徴とする塗布用具。
【請求項２】
請求項１に記載の一体型用具において、
前記少なくとも一つのステムは、少なくとも二つの同様な向きの湾曲部（２０、２１）を有している
ことを特徴とする塗布用具。
【請求項３】
請求項１または２に記載の一体型塗布用具において、
二つの別個の半径方向平面内で延びる少なくとも二つの可撓性のステムを備えている
ことを特徴とする塗布用具。
【請求項４】
請求項１〜３のいずれかに記載の一体型塗布用具であって、さらに、
当該塗布用具の遠位端（１１）に両端が植え込まれた少なくとも一つの追加のステム（２２）を備えてなる
ことを特徴とする塗布用具。
【請求項５】
請求項１〜４のいずれかに記載の一体型塗布用具において、
前記軸芯（１）の断面が長手方向軸線ＸＸに沿って変化している
ことを特徴とする塗布用具。
【請求項６】
請求項１〜５のいずれかに記載の一体型塗布用具において、
当該塗布用具の遠位端に軸方向の力が加わったときに前記貫通孔（４）の形を変更することができる少なくとも一つの半径方向に向いた掛止突起（５）を備えてなる
ことを特徴とする塗布用具。
【請求項７】
請求項１〜６のいずれかに記載の一体型塗布用具において、
前記ステム（２）の少なくとも一つは、Ｓ字形であって、実質的に当該塗布用具の全長に沿って延びている
ことを特徴とする塗布用具。
【請求項８】
請求項１〜７のいずれかに記載の一体型塗布用具において、
前記ステムの形が、当該塗布用具の長手方向に沿って延びる第一の湾曲部（２５）と、二重の湾曲部（２６、２７）と、前記湾曲部の間の接部続とにより画定され、前記接続部が前記軸芯（１）の貫通孔（４）の所に位置している
ことを特徴とする塗布用具。
【請求項９】
請求項８に記載の一体型塗布用具において、
前記接続部の素子が、半径方向に向いていて前記ステムの平面に垂直である掛止突起（７）を有し、前記ステムを所定の位置に保持するために前記掛止突起が前記軸芯（１）の少なくとも一つの縁部と協働することができる
ことを特徴とする塗布用具。
【請求項１０】
請求項１〜９のいずれかに記載の一体型塗布用具において、
前記少なくとも一つのステムは、前記軸線ＸＸに沿って同様な向きに向いていて２つの屈曲点で隔てられた３つの逐次連続した湾曲部（２０、２１、２３）を有している
ことを特徴とする塗布用具。
【発明の詳細な説明】
【技術分野】
【０００１】
この発明は、まつげまたはまゆ毛などのケラチン繊維に流体状またはペースト状の製品を塗布するための塗布具の分野に関する。とりわけ、この発明が目標とする塗布具は、化粧品、メーキャップ品またはスキンケア品を髪の毛、まつげまたはまゆ毛に塗布することを可能にするものである。
【０００２】
このような塗布具は、本質的に２つの要素を備えている。細長い形を有する１つの軸芯（コア）と、その上に少なくとも一列の歯または櫛歯が設けられている。
【背景技術】
【０００３】
多くの文献が知られており、適当な製品を容易に簡単に信頼性高く充填しそして塗布することを可能にすることを主目的として、満足な結果が得られたこの種の製品を開示している。考慮する分野では、そのような塗布具は、充填する機能、分離する機能、画定する機能、またはさらには巻き毛にする機能を果たさなければならないと言われている。
【０００４】
既に以前から、複数の毛条片が個々にかつ規則的に上に取り付けられた支持物を有するメーキャップブラシが、例えば、文献ＦＲ特許第２，５０５，６３３号で知られている。その発明の特徴の１つによれば、支持物と毛条片が、成型可能な材料を射出することにより得られている。
【０００５】
さらに例解として、文献ＦＲ特許第２，８５０，５４９号が、ケラチン繊維に製品を塗布するためのブラシであって、毛条片を担持してその少なくとも一部が湾曲して延びている軸芯（コア）を備えているブラシを開示している。
【０００６】
また、軸芯と、その軸芯の外表面に対してそれぞれ異なる方向に向いた少なくとも２列の複数の歯とを備えてなる１つの塗布具も、文献ＦＲ特許第２，９０２，９８４号で知られている。このタイプの塗布具は、特に、櫛歯がまつげの間などを通り抜けること、まつげの上に製品を平らに延ばすこと、そしてそれを分離することに関して製品の塗布を改善することを意図している。
【０００７】
また、歯が出来ている材料の可撓性を調整しおよび／または制御する塗布用具も、フランス特許出願ＥＮ１０５２３１６号で知られており、その用具は、１本の軸芯と数列の櫛歯で構成されていて、第一の一連の櫛歯が軸芯から長手のステムへ延びており、第二の一連の櫛歯がステムに接続されている第一の端部と自由端になっている第二の端部を有している。このタイプの塗布具は、歯（または、櫛歯）の可撓性を調整しおよび／または制御することが可能である。しかしながら、そのような塗布具は、半径方向（放射方向）の可撓性を欠き、半径方向に大きく変形することができず、このことは、塗布すべき製品の容器の出口の所にあるぬぐい部と呼ばれる環状の素子を通り抜けさせるときに不利である。実際に、「充填量」、すなわち、用具上に載せる製品の分量は最適ではなく、まつげへの正しい塗布のためには不十分なことがある。
【０００８】
さらに、一体製の流体塗布用具がＷＯ第２０１２／０８５３９８号で知られており、その用具は、典型的に、少なくとも１つの長手方向を向いた弾性および可撓性のあるステムを備えてなり、そのステムは、長手の軸芯の上の少なくとも第一および第二の点に植え込まれていて、長手方向軸線ＸＸに垂直な少なくとも１つの折れ曲がり領域が設けられるようになっている。公知の用具と比較して、この塗布具は、「アーチ」としても知られている可撓性のステムがある程度の可動性を有し、より変形しやすく、したがって製品をいろいろな量で収容することになるので、製品の充填量および塗布に関して改善である。
【０００９】
この技術的効果は、利用者の間で非常に高く評価されている。しかし、そのようなブラシの製造および実現可能性に関する限り、技術的限界を克服するのが困難であるように見える。事実、文献ＷＯ第２０１２／０８５３９８号による塗布具は、一体に作られ、つまり、一体成型される。
【先行技術文献】
【特許文献】
【００１０】
【特許文献１】ＦＲ特許第２，５０５，６３３号
【特許文献２】ＦＲ特許第２，８５０，５４９号
【特許文献３】ＦＲ特許第２，９０２，９８４号
【特許文献４】ＦＲ特許出願ＥＮ１０５２３１６号
【特許文献５】ＷＯ第２０１２／０８５３９８号
【発明の概要】
【発明が解決しようとする課題】
【００１１】
この発明は、従来技術の不具合な点を改善することを目的とし、とりわけ、特に充填量の調整に関して改善された特性を有し、一体製の、つまり、２種または３種の材料で単一の成型工程で作られる塗布具を提供することを目的とする。
【課題を解決するための手段】
【００１２】
この発明は、ケラチン繊維に流体状またはペースト状の製品を塗布するための一体型の塗布用具に関し、当該塗布用具は、長手方向軸線ＸＸに沿って延びる軸芯（コア）と、前記長手の軸芯に沿った少なくとも第一および第二の点において植え込まれた少なくとも一つの可撓性のステムとを備えてなり、前記ステムが前記長手方向軸線ＸＸに実質的に沿って延び、前記軸芯の上および／または前記少なくとも一つのステムの上に複数の櫛歯が設けられている。
【００１３】
この発明の第一の特徴によれば、前記軸芯には、少なくとも一つの半径方向の貫通孔が設けられており、前記少なくとも一つの可撓性のステムは、実質的に半径方向平面内に延びて少なくとも第一および第二のその長手方向に沿う湾曲部を有し、この塗布用具の半径方向平面内での可動性を確保するために前記ステムが前記少なくとも一つの貫通孔を接触せずに通り抜けるように構成されている。
【００１４】
用語「半径方向の貫通孔」は、軸芯を正に通り抜ける開孔を意味し、それは、概してこの用具の半径方向（軸線ＸＸからの放射方向）平面内に延びている。
【００１５】
この説明文の他の部分において、「ステム」または「アーチ」は、互換的に使用される。以下の説明文を参照して分かるように、ステムは、特徴的な形状を有している。
【００１６】
よって、とりわけ、中央に貫通孔が存在してその中でステムが動くことができるので、ステムの可動性は、従来技術のものにおけるよりも大きい。
【００１７】
この発明によれば、前記少なくとも１つのステムは、少なくとも２つの同じような向きの湾曲部を有する。もちろん、そのステムは、１つの半径方向平面に属する。
【００１８】
この発明の特徴的な一実施形態によれば、その用具は、２つの異なる半径方向平面内に延びる２つの可撓性のあるステムを備えている。それら可撓性のステムは、半径方向の貫通孔の所で交差している。
【００１９】
さらに、この発明の用具は、その用具の遠位端に両端が植え込まれた少なくとも１つの追加のステムを備えていてもよい。それにより、その用具の遠位端の所にある種のループが形成され、その機能についてはこの中で後ほど説明する。当該遠位端は、塗布具の軸線または把持グリップが取り付けられているその用具の近位端と反対側の自由端であると理解されたい。
【００２０】
興味深いことに、軸芯の断面は、長手方向軸線ＸＸに沿って変化していてもよい。
【００２１】
この発明の一実施形態によれば、一体型の用具は、その用具の遠位端に軸方向の力が加えられたとき貫通孔の形を変形できる半径方向を向いた少なくとも１つの掛止突起を備えている。
【００２２】
この発明の一実施形態によれば、当該ステムの少なくとも１つは、Ｓ字形であって、実質的に用具の全長ＸＸに沿って延びている。
【００２３】
この発明の他の実施形態によれば、その用具は、用具の長さに沿って延びる第一の湾曲部と、二重の湾曲部と、そしてそれら湾曲部の間の接続部とで定義される形をしていて、その接続部がその用具の軸芯の貫通孔の所に位置するステムを備えている。第一の湾曲部および二重の湾曲部は、同じ半径方向平面に属している。しかしながら、そのようなステムの当該複雑な形は、その用具の他の部分と一緒に型成型することができる。この実施形態の利点は、詳しく例解する実施形態と関連して以下に説明するように、少なくとも２種の異なるタイプのメーキャップを可能とすることにある。
【００２４】
さらに加えて、この実施形態によると、接続要素は、半径方向を向きかつステムの平面に垂直に向いている掛止突起を有し、ステムを所与の位置に保持するためにその掛止突起が軸芯の一つの縁と協働することができるようになっている。
【００２５】
加えて、この発明の特定の実施形態によると、当該少なくとも１つのステムは、軸線ＸＸに沿って同じように向いていて２つの屈曲点で分離されている順次連なった３つの湾曲部を有している。
【００２６】
この発明の他の特徴および利点は、添付の図面を参照しながら以下の説明を読むことにより、分かるであろう。
【発明の効果】
【００２７】
この発明による塗布具は、充填量の調整に関して改善された特性を有し、単一の成型工程で一体に製造することができる。
【図面の簡単な説明】
【００２８】
【図１】この発明の第一の実施形態の斜視図である。
【図２】第一の実施形態の軸芯における貫通孔の箇所での拡大図である。
【図３】図１のＡＡ線に沿った断面図である。
【図４】この発明の第一の実施形態の変形例を横から見た斜視図である。
【図５】この発明の第二の実施形態の横から見た斜視図である。
【図６】この発明の第二の実施形態の別の角度から見た斜視図である。
【図７】この発明の第二の実施形態の変形例を横から見た図である。
【図８】この発明の第三の実施形態の側面図である。
【図９】図８のＡＡ線に沿った断面図である。
【図１０】第三の実施形態による用具の正面図である。
【図１１】この発明の第四の実施形態の斜視図である。
【図１２】図１１のＡＡ線に沿った断面図である。
【図１３】この発明の第五の実施形態の側面図である。
【図１４】この発明の第五の実施形態の別の側面図である。
【図１５】この発明の第五の実施形態の正面図である。
【図１６】この発明の第五の実施形態により掛止突起が第一の位置にあるときのステムの特定の形の線図である。
【図１６Ａ】当該第一の位置にある掛止突起を含む範囲の拡大図である。
【図１６Ｂ】この発明の第五の実施形態による、第二の位置にある掛止突起を含む範囲の拡大図である。
【図１６Ｃ】この発明の第五の実施形態による、第二の位置にある掛止突起を含むステムの特定の形の線図である。
【図１７】この発明の第六の実施形態の第一の位置における側面図である。
【図１７Ａ】この発明の第六の実施形態の第一の位置における別の側面図である。
【図１８】この発明の第六の実施形態の第二の位置における側面図である。
【図１８Ａ】この発明の第六の実施形態の第二の位置における別の側面図である。
【発明を実施するための形態】
【００２９】
明確のために、同一のまたは類似の要素は、全部の図面において同一の参照符号を付した。
【００３０】
図１は、この発明の第一の実施形態を斜視図で図解するもので、ケラチン繊維に流体状またはペースト状の製品を塗布することのできる一体型の塗布用具は、長手方向軸線ＸＸに沿って延びる軸芯（コア）１を備えてなり、その軸芯１は、把持するステム（図示せず）に近くてそれと協働する近位端１０と、自由端である遠位端１１とを有する。少なくとも１つの可撓性のステムがさらに設けられており、長手の軸芯１に第一および第二の位置において植え込まれている。植込み位置は、ここでは軸芯１のそれぞれ近位端と遠位端に近い箇所に位置している。植込みは、通常の機械的な意味を有し、つまり、全く自由度のない接続を意味する。
【００３１】
図１は、軸芯１の上だけでなく、ステム２の上に設けられている櫛歯３も示している。当業者は、そのような櫛歯３の存在の妥当性を決定するであろうし、また、その密度および向きも多かれ少なかれ経験的に決定するであろう。用具の長さは、軸線ＸＸに沿って測って、１０〜３０ミリメートルの範囲でよく、用具の外径は、５〜１５ミリメートルの範囲である。
【００３２】
可撓性のステム２は、半径方向つまり長手方向の平面内で、すなわち、用具の横断方向平面に垂直に延びており、特に半径方向平面内で可撓性が増すように特別に設計された形を有している。さらにまた、少なくとも１つの貫通孔４が軸芯１に設けられている。貫通孔４は、半径方向に通り抜けた孔であり、つまり、軸芯１を正に通り抜けていて、半径方向に沿って向けられている。貫通孔の形は、長手方向軸線ＸＸに沿って概して細長である。位置は、特定の形を有するステム２と効率的に協働するように位置決めされている。
【００３３】
この発明によれば、「可撓性のステム」は、軸線ＸＸに沿って延びる弾性のある本質的に半径方向平面内で可動な（動き得る）要素を意味する。
【００３４】
図１および図２〜４に示すこの発明の実施形態によれば、ステム２は、植え込まれた２つの端部の間にその長手方向に沿って第一および第二の同じような向きの湾曲部２０、２１を有し、したがって、第一の湾曲部２０と第二の湾曲部２１は、同じ向きに向けられており、ステム２の長手方向に沿って順次つながっている。第一および第二の湾曲部は、屈曲点において軸芯１に設けられた貫通孔４の所で（この例の場合、軸芯１の長さのほぼ真ん中で）合わさっている。そこで、ステム２は、貫通孔４を非接触で通り抜けている。図２は、この特徴的な興味深い配置を示している。
【００３５】
さらに、図３は、上述した第二のステム２が上述のステムと同じ半径方向平面内に設けられていること、しかしそこから１８０°に位置していることを示している。その第二のステム２の２つの湾曲部２０、２１は、第一のステム２の湾曲部と同じレベルの所、すなわち、貫通孔４の中で合わさっており、第二のステム２の湾曲部２０、２１の結合部位と貫通孔４の壁部との間には接触がない。この配置は、ステム２が半径方向平面内をかなりの振れ幅で、すなわち、貫通孔４が設けられていなかった場合に比べてずっと大きく動けるようにしている。よって、この貫通孔４は、ステム２の形および特定の向きと組み合わさって、技術的に興味深い特性をもたらしている。実際に、ステム２の可動性は、この用具に流体状またはペースト状の製品を簡単に充填できるようにしている。そのような可動性は、ケラチン繊維に作用する力がより均一にもなるので、当該流体をより一様に塗布することも可能にしている。さらにまた、この発明により提供される可動性および可撓性は、塗布具が並進方向および他の方向に非常に多くの回数で通り抜ける流体容器の口部およびぬぐい部の容易な通過を可能にしている。
【００３６】
図４は、追加のステム２２がある点で図１〜３に示したものと異なるこの発明の一実施形態を示し、ステム２２の両端が軸芯の遠位端１１に植え込まれている。それにより、追加のステム２２に円形が付与されており、好ましくは、追加のステム２２は２つのステム２と同じ半径方向平面内にある。だだし、この条件は、必須ではない。このタイプの追加のステムで異なる平面内で延びるものを、数個この発明の範囲内で設けることができる。実際的には、１〜６個の追加のステムを設けることができる。
【００３７】
図５は、この発明の第二の実施形態に相当し、各ステム２に２つではなく３つの湾曲部２０、２１、２３がある点で第一の実施形態と異なる。この側面図は、２つのステム２が同一の平面に属すること、および湾曲部が軸芯１の所で合わさっていることを明瞭に示している。この図は、軸芯１には、貫通孔４を示していない。各貫通孔は、ステム２の湾曲部が合わさる部位との位置関係はもちろんのこと、上述した特徴を有している。当業者は、用具の寸法に応じて、および使用される材料に応じて、最も適合した実施形態を選択するであろう。
【００３８】
図６の斜視図は、軸芯に設けられていてステム２と協働する、とりわけこれらステムの湾曲部２０、２１、２３およびそれらの連結部位と協働する貫通孔４を見えるように図解している。したがって、この実施形態は、貫通孔４がより大きいので、第一の実施形態におけるよりも大きい可撓性を有するステムを備えている。この実施形態は、ケラチン繊維に製品を塗布するときに、より正確な塗布を使用者に提供する。実際に、波形の各頂上が明確であるので、すなわち、他の頂上から離れているので、この部位に位置する櫛歯は、下側の小さいまつげはもとより、まつげにより形成される条片の外縁上にずっと正確な（点として）塗布を可能としている。
【００３９】
図７は、図６のものと類似した、しかし図４のものと類似の追加のステム２２を設けた１つの実施形態に関する。ここでは、この発明の範囲から逸脱することなく、種々の組合せが可能であることを示すことを目的とする。
【００４０】
図８〜１０は、この発明の第三の実施形態を図解しており、２つのステムがあって、各々がＳ字形である。先の実施形態と同様に、ステム２は、軸芯１内の貫通孔４の所で合わさっている。図８のＡＡ線に沿った断面図として、図９は、各ステム２の第一の湾曲部２０を示し、この図は、また、軸芯１とステム２の両者の上に櫛歯３があることも示している。このことは、必須ではない。図１０の正面図は、とりわけ、ここに設けられた２つのステム２が、約６０°の角度をなす２つの異なる半径方向平面に属することを示している。当業者は、想い描く筋書きに応じてこの角度を選定するであろう。この角度は、普通は、約３０°〜８０°の範囲である。
【００４１】
図１１および図１２は、この発明の別の（第四の）実施形態に関し、この場合、２つのステム２が設けられていて、各々がＳ字形で所与の半径方向平面内にある。２つのステムは、もちろん貫通孔４の所で交差しており、貫通孔４の中で可動である。図１２の断面図は、貫通孔４の所で、可動で可撓性の要素を共に形成している２つのステム２の結合部位を明瞭に見えるように描いている。
【００４２】
図１３〜１５は、この発明の別の（第五の）実施形態を示し、この場合、可動のアセンブリつまりステムは、用具のほぼ全長に沿って延びる第一の湾曲部２５と、同じ半径方向平面内に設けられ、ただし凸方向が第一の湾曲部２５のと反対である二重の湾曲部２６、２７によって画定される独特の形を有している。第一の湾曲部２５と二重の湾曲部２６、２７の間の接続は、貫通孔４の所に設けられていて、このアセンブリがその半径方向平面内で動き得るようになっている。図１４は、図１３の９０°方向図であり、可動アセンブリつまりステム２の湾曲部２５と２６、２７の接続部位の所において軸芯１に開いた貫通孔４が見えるようにしている。図１５は、同じ実施形態の正面図であり、可動のアセンブリつまりステム２、２５、２６、２７が同一の半径方向平面に属することを確認できるようにしている。
【００４３】
処置するまつげのタイプに応じて特定の実施形態が好ましい。
【００４４】
図１６、１６Ａ、１６Ｂおよび１６Ｃは、第５の実施形態の変形例を図解している。実際に、これらの図において、可動のアセンブリつまりステム２、２５、２６、２７が半径方向に向けられかつ自己の半径方向平面に垂直に向けられた掛止突起７を備えていることを見ることができる。掛止突起７は、ステム２、２５、２６、２７を所与の位置に保持するために、軸芯１の縁部と協働するように適合されている。図１６は、軸芯１の１つの縁部に接触している掛止突起７を図解しており、図１６Ｃは、軸芯１の別の縁部に接触している掛止突起７を図解している。ステム２の固有の可撓性から生じるステム２の僅かな変形がこの２つの位置の間に見られる。ステムは、このようにして所望の静止位置に保持されて、それにより流体状製品をさらに伸ばすことの可能なより広い働きを可能としている。掛止突起７を僅かに横方向に押すと、湾曲部またはアーチ２５、２６、２７の形状寸法が変化して、異なるメーキャップ作業が行えるようになる。
【００４５】
図１７、１７Ａおよび図１８、１８Ａで図解されている実施形態でもって別の興味深い効果が得られる。この発明のこの実施形態によると、ステム２に掛止突起５が設けられており、半径方向に向けられていて、軸芯１内の貫通孔４の形を変えるように適合されている。図１７および１７Ａは、実質的に貫通孔４の一端の所に位置する掛止突起５を示しており、他方、図１８および１８Ａは、貫通孔４の他端の方に位置する掛止突起５を示している。これにより、用具の遠位端１１でその先端を押すことにより、使用者は、図１７Ａおよび１８Ａに示すようにステム２の湾曲を変えるだけでなく、図１７および１８に示すように貫通孔４の形を変える。この実施形態は、２つの異なる外形を得ること、およびそれにより実質的に異なる２つのタイプの応用例を得ることを可能にしている。後退不能点があるので、その位置を保持することを可能にしている。塗布具が容器に再び入る際に、塗布具が容器の首部を通り抜けることで、（図１７および１７Ａに従って）最初の位置に戻ることを可能にしている。
【００４６】
さらに、ステム２（１つ以上の湾曲部または起伏を有する単一であっても二重であっても）の特殊性および特徴は、半径方向の貫通孔４を通り抜けることで得られる全般的な可撓性によって増強される。もって、使用者は、より快適で緻密なメーキャップをすることができ、櫛歯３を設けたステム２に付与された可撓性によりまつげの根元への接近および位置決めが楽になる。
【００４７】
さらにまた、ステム２は、貫通孔４の所で軸芯１に付けられていないので、非常に可撓性がある。ステムの可動範囲は、それがメーキャップのための新しい特徴を提供することにおいて興味深い。
【００４８】
しかしながら、この発明は、長さ方向に連続している中央軸芯１を有しており、中央軸芯１の断面は、ステムを通すための、またはより正確には、ステムの湾曲部間の接続部位を通すための１つ以上の貫通孔４を有している。このように、この発明の一体型の用具は、流体容器の首部の所に通常設けられているぬぐい部材を、ひずみ変形や損傷なくおびただしい回数通り抜けるために十分に剛性の構造を有している。
【００４９】
この発明による用具は、興味深いことに、従来技術とは異なり、一体に成型され、それにより製造時間が節約されるということに注目されたい。この発明の塗布具を構成する全ての形状が完全に意図どおりに実現されるとともに、高い寸法精度が保証される。この発明の利点は、注目に値するものであり、いろいろな実施形態が、処置すべきケラチン繊維のタイプにも、塗布すべき流体の性質にも、そして使用者が望むメーキャップのモードにも完全に適合した種々の使用を可能にする。
【符号の説明】
【００５０】
ＸＸ…長手方向軸線、１…軸芯、１０…軸芯（近位端）、１１…軸芯（遠位端）、２…ステム、２０、２１、２３…ステム（湾曲部）、２２…追加のステム、２５、２６、２７…ステム（湾曲部）、３…櫛歯、４…貫通孔、５…掛止突起、７…掛止突起。
【図１】
0006764598.tif 000002
【図２】
0006764598.tif 000003
【図３】
0006764598.tif 000004
【図４】
0006764598.tif 000005
【図５】
0006764598.tif 000006
【図６】
0006764598.tif 000007
【図７】
0006764598.tif 000008
【図８】
0006764598.tif 000009
【図９】
0006764598.tif 000010
【図１０】
0006764598.tif 000011
【図１１】
0006764598.tif 000012
【図１２】
0006764598.tif 000013
【図１３】
0006764598.tif 000014
【図１４】
0006764598.tif 000015
【図１５】
0006764598.tif 000016
【図１６】
0006764598.tif 000017
【図１６Ａ】
0006764598.tif 000018
【図１６Ｂ】
0006764598.tif 000019
【図１６Ｃ】
0006764598.tif 000020
【図１７】
0006764598.tif 000021
【図１７Ａ】
0006764598.tif 000022
【図１８】
0006764598.tif 000023
【図１８Ａ】
0006764598.tif 000024